(57)【特許請求の範囲】
【請求項１】
物品載置部を挟んで互いに対向する一対の主外縁部と一対の補助外縁部とが、前記物品載置部の外周に沿って隣接配置された基布を有し、
前記一対の主外縁部の径方向外端部付近に把手開口部が形成され、
一方の主外縁部の把手開口部付近にループ部を備えた索状体が、前記各補助外縁部における前記一方の主外縁部との境界付近の径方向外端部付近を経て、少なくとも前記各補助外縁部における他方の主外縁部との境界付近の径方向外端部付近まで懸装されており、
前記一方の主外縁部の把手開口部と前記索状体の前記ループ部とを、前記ループ部が前記把手開口部の外周部まで引き出される状態となるまで前記物品載置部の上方に向けて同時に引き上げることで、前記索状体によって前記一対の補助外縁部の外縁部が周方向に沿って引き絞られるように前記索状体の長さが設定されている簡易バッグ。
【請求項２】
前記一方の主外縁部の端部を前記他方の主外縁部の前記把手開口部に挿通し、前記索状体の前記ループ部を、前記一方の主外縁部の把手開口部の径方向外端部と同時に、前記物品載置部の上方に向けて引き上げることで、前記索状体によって前記一対の補助外縁部の外縁部が周方向に沿って引き絞られる請求項１に記載の簡易バッグ。
【請求項３】
前記一対の主外縁部は、前記一対の補助外縁部よりも径方向外側に延出されている請求項１又は２に記載の簡易バッグ。
【発明の詳細な説明】
【技術分野】
【０００１】
本発明は、使用時には物品を簡単に包んで搬送でき、非使用時にはコンパクトに収納できる簡易バッグに関する。
【背景技術】
【０００２】
この種の簡易バッグに関連する先行技術文献情報として下記に示す特許文献１がある。この特許文献１に記された簡易バッグは、表側と裏側をリバーシブルに形成した略正方形の基布と、この基布の表側の中央部に斜めに取り付けた無端帯状の把手部とからなる風呂敷状を呈しており、裏側が内側となるように物品を包めば把手部が外側から上方に延びてハンドバッグ状の外観形状が得られ、表側が内側となるように物品を包めば把手部が内側の中央から上方に延びて巾着状の外観形状が得られる。
【先行技術文献】
【特許文献】
【０００３】
【特許文献１】特開２００６−８９０７９号公報（００１４段落、図３）
【発明の概要】
【発明が解決しようとする課題】
【０００４】
しかし、特許文献１に記された簡易バッグでは、物品を包み込む際には、基布の四つの角部のうち、把手部が設けられていない二つの角部どうしを確実に結び合わせる操作が、使用後は同二つの角部の結び目を解く操作が必要であった。
【０００５】
そこで、本発明の目的は、上に例示した従来技術による簡易バッグが与える課題に鑑み、使用に際して一部の部材どうしを結び合わせたり、結び目を解いたりする煩雑な操作が不要な簡易バッグを提供することにある。
【０００６】
本発明の他の目的は、柔軟な素材で構成され、非常に簡単な構造を有するために、軽量で且つ使用後はコンパクトに折り畳むことが可能であり、頻繁に携行することで、店頭のレジ袋などの消費量を削減するエコロジー上の効果をもたらす簡易バッグを提供することにある。
【課題を解決するための手段】
【０００７】
本発明による簡易バッグの特徴構成は、
物品載置部を挟んで互いに対向する一対の主外縁部と一対の補助外縁部とが、前記物品載置部の外周に沿って隣接配置された基布を有し、
前記一対の主外縁部の径方向外端部付近に把手開口部が形成され、
一方の主外縁部の把手開口部付近にループ部を備えた索状体が、前記各補助外縁部における前記一方の主外縁部との境界付近の径方向外端部付近を経て、少なくとも前記各補助外縁部における他方の主外縁部との境界付近の径方向外端部付近まで懸装されており、
前記一方の主外縁部の把手開口部と前記索状体の前記ループ部とを、前記ループ部が把手開口部の外周部まで引き出される状態となるまで前記物品載置部の上方に向けて同時に引き上げることで、前記索状体によって前記一対の補助外縁部の外縁部が周方向に沿って引き絞られるように前記索状体の長さが設定されている点にある。
【０００８】
上記の特徴構成による簡易バッグでは、簡易バッグを平らに広げ、物品載置部に被搬送物を置いた上で、一対の把手開口部を上向きに引き上げると、物品載置部を介して被搬送物を搬送可能な状態となる。このとき、もしも被搬送物が一対の主外縁部のみによって包まれた状態であれば、さらに索状体のループ部を一対の把手開口部に対して引き出す操作を行えば、一対の補助外縁部の外縁部が周方向に沿って引き絞られるため、被搬送物は一対の主外縁部と一対の補助外縁部とによって四方から包み込まれて、より安定した形態で搬送可能な状態となる。したがって、いずれの使用法をとった場合でも、使用に際して一部の部材どうしを結び合わせたり、結び目を解いたりする煩雑な操作が不要となる。
【０００９】
また、上記の特徴構成による簡易バッグでは、物品載置部とその外周に位置する一対の主外縁部及び一対の補助外縁部とを有する基布と、基布の所定位置に懸装された索状体とのみからなる非常に簡単な構造を有するので、軽量で且つ使用後はコンパクトに折り畳むことが可能であり、頻繁に携行することで、店頭のレジ袋などの消費量を削減する効果をも期待できる。
【００１１】
さらに、簡易バッグを平らに広げ、物品載置部に被搬送物を置いた上で、一対の把手開口部と索状体のループ部とを上向きに引き上げると、自動的に一対の補助外縁部の外縁部が周方向に沿って引き絞られるため、被搬送物は一対の主外縁部と一対の補助外縁部とによって四方から包み込まれて、安定した形態で被搬送物を搬送可能な状態となる。したがって、一対の把手開口部を上向きに引き上げた後で、索状体のループ部を一対の把手開口部に対して引き出す操作を行う必要がなく、利便性がさらに高まる。
【００１２】
本発明の他の特徴構成は、前記一方の主外縁部の端部を前記他方の主外縁部の前記把手開口部に挿通し、前記索状体の前記ループ部を、前記一方の主外縁部の把手開口部の径方向外端部と同時に、前記物品載置部の上方に向けて引き上げることで、前記索状体によって前記一対の補助外縁部の外縁部が周方向に沿って引き絞られる点にある。
【００１３】
本構成であれば、一対の主外縁部の端部どうしが互いに重なり合うことで、被搬送物の上方が閉じられるため好都合である。また、本構成であれば、他方の主外縁部の把手開口部が一方の主外縁部の把手開口部より基端部側などに係止されるため、使用者は一方の主外縁部の把手開口部のみを索状体のループ部と共に指などに掛けて持ち運ぶことができる。
尚、本構成の構成によらず、一対の主外縁部の各把手開口部と、索状体のループ部との３部材を同時に指などに掛けて持ち運ぶ使用形態も可能である。
本発明の他の特徴構成は、前記一対の主外縁部が、前記一対の補助外縁部よりも径方向外側に延出されている点にある。
【図面の簡単な説明】
【００１４】
【図１】展開された簡易バッグの第１面を示す平面図である。
【図２】展開された簡易バッグの第２面を示す平面図である。
【図３】簡易バッグの使用状態（第１〜第３段階）を示す斜視図である。
【図４】簡易バッグの使用状態（第３段階）を示す斜視図である。
【発明を実施するための形態】
【００１５】
以下に本発明を実施するための形態について図面を参照しながら説明する。
本発明の好適な実施形態となる簡易バッグ１を図１〜図３に示す。簡易バッグ１は、概して楕円形状の外形を備えた柔軟な一枚の基布２と、基布２の一部に懸装された１本の細いロープ１０（索状体の一例）とを有する。
【００１６】
基布２のほぼ中央には、被搬送物Ｐなどを載置するための概して矩形の物品載置部３が設けられており、物品載置部３の径方向外側の領域は、物品載置部３の外周に沿って互いに連続的に隣接配置された一対の主外縁部４Ａ，４Ｂと一対の補助外縁部５Ａ，５Ｂとで構成されている。ここでは、物品載置部３の形状及び寸法は、一般的に調理物を詰めた状態で弁当などとして市販される樹脂製などのワンウェイ型の容器の外形を基準に設定されている。
【００１７】
一対の主外縁部４Ａ，４Ｂは、物品載置部３を挟んで互いに対向するように、且つ、概して物品載置部３の外形の長辺に沿って配置され、一対の補助外縁部５Ａ，５Ｂは、物品載置部３を挟んで互いに対向するように、且つ、概して物品載置部３の外形の短辺に沿って配置されている。
【００１８】
基布２は左右に延びた軸心Ｘに関して互いに対称となる形状を有する。また、一対の主外縁部４Ａ，４Ｂどうしは、径方向外端部を除けば、ほぼ等しい外形寸法を備え、いずれも補助外縁部５Ａ，５Ｂよりも径方向外側に延出されている。図１の左方に示す第１主外縁部４Ａの径方向外端部は、図１の右方に示された第２主外縁部４Ｂの径方向外端部よりも細長く延出されている。図１の上方に示す第１補助外縁部５Ａと図１の下方に示す第２補助外縁部５Ｂとは軸心Ｘに関して互いに対称となる形状を有する。
【００１９】
一対の主外縁部４Ａ，４Ｂの各径方向外端部には、利用者が指先などを挿通可能な把手孔Ｈａ，Ｈｂ（把手開口部の一例）が形成されている。図１において、第１主外縁部４Ａの把手孔Ｈａは軸心Ｘに沿って幾らか縦長状であるのに対して、第２主外縁部４Ｂの把手孔Ｈｂは幾らか横長状となっている。
【００２０】
後述するように被搬送物Ｐを内部に収納した状態で簡易バッグ１を閉じたとき、物品載置部３は被搬送物Ｐの底部を支持し、一対の主外縁部４Ａ，４Ｂと一対の補助外縁部５Ａ，５Ｂとは被搬送物Ｐの側面及び上面を覆うことになる。
【００２１】
簡易バッグ１を閉じる際に、一対の主外縁部４Ａ，４Ｂと一対の補助外縁部５Ａ，５Ｂとが容易に被搬送物Ｐの側面に向かって立ち上がるように、基布２の要部に弱い折り癖を付すことも可能である。図１に示す例では、折り癖を付された部位は、物品載置部３の外形に沿って概して矩形に延びた第１谷折り部７と、主外縁部４Ａ，４Ｂと補助外縁部５Ａ，５Ｂとの境界に沿って直線状に延びた４本の第２谷折り部８と、第１谷折り部７と第２谷折り部８との交点から補助外縁部５Ａ，５Ｂの中央付近に向かって延設された４本の山折り部９とからなる。
【００２２】
ロープ１０は、４本の各第２谷折り部８の径方向外端部の付近に形成された全部で８個の小さな係止孔Ｓ１〜Ｓ４に通されている。係止孔Ｓ１〜Ｓ４は、第１主外縁部４Ａと一対の補助外縁部５Ａ，５Ｂとの境界に位置する第２谷折り部８を挟んで隣接配置された第１係止孔Ｓ１と第２係止孔Ｓ２、及び、第２主外縁部４Ｂと一対の補助外縁部５Ａ，５Ｂとの境界に位置する第２谷折り部８を挟んで隣接配置された第３係止孔Ｓ３と第４係止孔Ｓ４からなる。
【００２３】
尚、第１係止孔Ｓ１と第２係止孔Ｓ２は、各補助外縁部５Ａ，５Ｂにおける一方の主外縁部４Ａとの境界付近の径方向外端部付近に位置し、第３係止孔Ｓ３と第４係止孔Ｓ４は、各補助外縁部５Ａ，５Ｂにおける他方の主外縁部４Ｂの外端部付近に位置している。
【００２４】
ロープ１０の一端（図１において上方に示す）は、基布２の第２面（裏面）から第１補助外縁部５Ａの第１係止孔Ｓ１と第２係止孔Ｓ２とを挿通されることで再び第２面に至り、第１補助外縁部５Ａの第３係止孔Ｓ３と第４係止孔Ｓ４とを挿通されて輪結びされることで、第２谷折り部８付近を包囲するように固定されている。ロープ１０の他端も、同じ要領で第２補助外縁部５Ｂの第１係止孔Ｓ１と第２係止孔Ｓ２とを挿通され、第２補助外縁部５Ｂの第３係止孔Ｓ３と第４係止孔Ｓ４とを挿通されて、第２谷折り部８付近に固定されている。
【００２５】
第１主外縁部４Ａの把手孔Ｈａよりも補助外縁部５Ａ，５Ｂ寄りに位置する一対の外周部の各々からは、複数の舌片６が一体的に延出されており、第１主外縁部４Ａの外周に沿って折り返されて、基布２の第２面側に接着または縫製などにより貼着されている。各舌片６は、ロープ１０をトンネル状に覆い、各舌片６の径方向外端部のみが基布２に貼着されているので、ロープ１０の長手方向での自由な摺動移動が確保されている。
【００２６】
基布２は一層または二層程度のナイロン、木綿などの柔軟な布帛からなり、ロープ１０もナイロン、木綿などの柔軟な素材で構成されている。したがって、要部に上記のような折り癖が形成されていても、簡易バッグ１は平らな水平面などに一枚の一般的な風呂敷と同様にほぼ平面状に展開できる。尚、ロープ１０の素材としては、通常の引っ張り力によって弾性的または塑性的に容易に伸びるものは適さない。
【００２７】
ロープ１０の長さは、図１のように簡易バッグ１を平面状に展開し、外力が作用しない状態では、ロープ１０の長さ方向での中心に位置する円弧状のループ部Ｒが、第１主外縁部４Ａの把手孔Ｈａと重なり合い、把手孔Ｈａの中心よりも物品載置部３寄りに位置するように設定されている。
【００２８】
図３（ａ）に、簡易バッグ１を基布２の第１面（オモテ面）が上向きとなるように平らに置き、物品載置部３に被搬送物Ｐを載置した使用状態（第１段階）を例示している。
図３（ａ）の状態から、図３（ｂ）に例示するように、第１主外縁部４Ａと第２主外縁部４Ｂとを上方に引き上げ始めると、自然に補助外縁部５Ａ，５Ｂが持ち上がり、特に補助外縁部５Ａ，５Ｂにおける一対の山折り部９で囲まれた概して三角形状の部位が被搬送物Ｐの短辺側の側面に近接した状態が得られる（第２段階）。この現象には、物品載置部３の短辺に沿った第１谷折り部７、及び、第２谷折り部８と山折り部９の持つ折り癖の作用が関与している。
【００２９】
図３（ｃ）及び図４は、図３（ｂ）の状態から、第１主外縁部４Ａの先端を第２主外縁部４Ｂの把手孔Ｈｂに挿通し、第１主外縁部４Ａの把手孔Ｈａに差し入れた指にロープ１０のループ部Ｒを引っ掛けて、両部Ｈａ，Ｒを同時に引き上げた状態を例示している。この操作によって、第１主外縁部４Ａの端部が第２主外縁部４Ｂの把手孔Ｈｂから更に引き出され、同時に、ロープ１０が主に第１主外縁部４Ａの外周部に対して把手孔Ｈａ側に引き出されるため、一対の補助外縁部５Ａ，５Ｂの外縁部が、第１係止孔Ｓ１と第２係止孔Ｓ２とが第３係止孔Ｓ３と第４係止孔Ｓ４に近接されるように周方向に引き絞られ、被搬送物Ｐは一対の主外縁部４Ａ，４Ｂと一対の補助外縁部５Ａ，５Ｂとによって四方から包み込まれ、搬送可能な状態（第３段階）となる。
【００３０】
〔別実施形態〕
〈１〉ロープ１０の長さは、簡易バッグ１を平面状に展開し、外力が作用しない状態において、例えば、ロープ１０のループ部Ｒが把手孔Ｈａの中心よりも物品載置部３から離間した位置に来るように設定してもよい。この構成でも、簡易バッグ１を平らに広げ、物品載置部３に被搬送物Ｐを置いた上で、一対の把手孔Ｈａ，Ｈｂを上向きに引き上げると、取りあえず簡易バッグ１で被搬送物Ｐを搬送可能な状態となり、そこで、さらにロープ１０のループ部Ｒを一対の把手孔Ｈａ，Ｈｂに対して引き出せば、一対の補助外縁部５Ａ，５Ｂの外縁部が周方向に沿って引き絞られ、被搬送物Ｐは一対の主外縁部４Ａ，４Ｂと一対の補助外縁部５Ａ，５Ｂとによって四方から包み込まれて、より安定した形態で搬送可能な状態となる。この場合、ロープ１０のループ部Ｒに適当な質量の環状のスリーブなどを外嵌装着しておくことで、スリーブが第２主外縁部４Ｂの第２面の一部に自重で安定載置され、且つ、ループ部Ｒの在り処が目立つように構成してもよい。
【００３１】
〈２〉ロープ１０の両端を補助外縁部５Ａ，５Ｂの一部などに結び付けるのではなく、ロープ１０の両端どうしを結び付けた無端状とした形態で実施してもよい。この場合、第２主外縁部４Ｂにおける把手孔Ｈｂと第２主外縁部４Ｂの径方向基端部との中間付近などにもロープ１０を挿通させる少なくとも２つの係止孔を追加的に形成すれば更に好都合である。
【００３２】
〈３〉上記の実施形態に記した第２面が内側になる使用形態も可能なリバーシブル型の簡易バッグとしてもよい。この場合、ロープ１０を挿通させる係止孔どうしの間隔を狭くし、より多くの係止孔を用いてロープ１０を懸装させると更によい。
【００３３】
〈４〉基布に折り癖としての山折り部や谷折り部が予め形成されていない形態で実施してもよい。
【００３４】
〈５〉基布はナイロンや木綿以外の織物や不織布を含む種々の布帛、和紙、油紙、ビニールなどを含む各種のプラスチックなどで構成してもよく、また、複数種類の素材を重ね合わせるなど互いに組み合わせた構成としてもよい。同様に、ロープもナイロンや木綿に限らず種々の素材から選択することができる。
【産業上の利用可能性】
【００３５】
使用時には物品を簡単に包んで搬送でき、非使用時にはコンパクトに収納できるため、頻繁に携行することで、店頭のレジ袋などの消費量を削減する効果の生じる簡易バッグとして利用可能である。
【符号の説明】
【００３６】
Ｈａ  把手孔（一方の主外縁部の把手開口部）
Ｈｂ  把手孔（他方の主外縁部の把手開口部）
Ｒ    ループ部
Ｓ１  第１係止孔（径方向外端部付近）
Ｓ２  第２係止孔（径方向外端部付近）
Ｓ３  第３係止孔（径方向外端部付近）
Ｓ４  第４係止孔（径方向外端部付近）
１    簡易バッグ
２    基布
３    物品載置部
４Ａ  第１主外縁部
４Ｂ  第２主外縁部
５Ａ  第１補助外縁部
５Ｂ  第２補助外縁部
１０  ロープ（索状体）
【図１】
0005827012.tif 000002
【図２】
0005827012.tif 000003
【図３】
0005827012.tif 000004
【図４】
0005827012.tif 000005